(57)【要約】      （修正有）【課題】原型を残しながら、素材使用量の減少と形状の統一化によるコストダウン、承継の簡素化、最終処分費の無料化、ペットの埋蔵場所の確保が可能な墓を提供する。【解決手段】竿石、上台、中台を空洞化し骨壺を収納可能とし、外柵も含めた軽量化を図り、竿石の表面パネルを脱着可能とし、構造をパネル化し、外柵の空間をペットの遺骨の埋蔵場所として確保する。【選択図】図８
2017145673.tif 000002
【特許請求の範囲】
【請求項１】
納骨堂と墓石の目的を合体させた墓石、納骨堂式墓石を発明した。従来の墓石の素材である石をそのまま使用し、従来の形状を守りながらの発明であるが、石は硬くて重い性質を有する為、耐震性を配慮しながらの開発が必要となり、その方法と派生効果を含めて申請するものである。
【請求項２】
竿石内部を空洞化し、周囲４面をパネル化した石の部材で囲み、且つ、家名を彫刻する表面のパネルを脱着可能な形状とした。
【請求項３】
空洞化した竿石の中間に棚板１枚を設置し、竿石の強度の向上を図る構造とした。
【請求項４】
空洞化した竿石内部の棚板の上下に、骨壺２体を収蔵出来る構造とし、竿石納骨堂を実現した。
【請求項５】
上台の内部を空洞化し、且つ、表面パネルを脱着可能な形状にして骨壺１体を収蔵出来る構造とし、上台納骨堂を実現した。
【請求項６】
上台四隅の柱に穴を空け、ステンレス製の耐震棒を挿入し、中台の蓋の穴に固定し、耐震化を図る構造とした。
【請求項７】
中台の内部を空洞化し、且つ、表面パネルを脱着可能な形状にして骨壺２体を収蔵出来る構造とし、中台納骨堂を実現した。
【請求項８】
中台四隅の柱に穴を空け、ステンレス製の耐震棒を挿入し、芝台の穴に固定し、耐震化を図る構造とした。
【請求項９】
外柵カロートの内部を２つに分割する為に、中根石を設ける。これの目的は墓石上部の荷重を支え、且つ、一方のカロートには人の遺骨を袋に包みこれを埋蔵し、もう一方のカロートにはペットの骨壺を埋蔵出来る形状とした。
【請求項１０】
竿石カロートの後部パネルの内側に、菩薩像を彫刻出来る形状とした。
【発明の詳細な説明】
【技術の分野】
【０００１】  墓石の形状
【背景技術】
【０００２】  納骨堂と墓石の合体
【発明の概要】
【発明が解決しようとする課題】
【０００３】１・墓石のコストダウン
２・墓地名義人の承継の簡素化と拡大
３・墓地面積の均一化
４・墓石再利用の簡素化
５・資源の保護
６・ペット埋蔵場所の確保
【課題を解決するための手段】
【０００４】１・竿石と上代及び中台内部を空洞化し、使用する石の量を４５％減少させた。又、これ等の軽量化により、外柵の石の量が１０％減少し、コストダウンを実現した。
２・竿石と上代及び中台内部を空洞化して４面をパネル化し、表面パネルのみを脱着可能とした。承継の時に家名が異なる時は、表面パネルの変更と、新しい家名の彫刻代のみの負担で承継が可能となり、承継の範囲が拡大される。
３・新しい遺骨が生じた時は、中台に収蔵された古い遺骨から順番に風呂敷様の布に遺骨を移し、外柵カロートに埋蔵される事になる。将来生ずるであろうと予測される骨壺の数に関係なく、墓地の面積は均一化される事になり、形状面でもコストダウンを実現した。
４・家名変更時に生じるお墓の造り直しや、承継者不在の時に生じる、お墓の解体、撤去、処分と言う一連の作業が、脱着可能な表面パネルの実現により、資産のマイナス面が無くなり、墓石購入意思を阻害する要因が緩和される。
５・承継の範囲が拡大される事により、解体、撤去、処分が減少し、墓石を引き続き再利用する事が安易になり資源の保護に繋がる。
６・古い遺骨を風呂敷様の布に包み、外柵内のカロートに移す事により、カロート内に広い空間が生じる事になる。この空間を有効利用する為に、カロート内を２分割にして一方のカロートをペット用のカロートにする事が可能となる。
【発明の効果】
【０００５】  墓石は承継者が途絶えた段階で、墓石の役割りは消滅し解体、廃棄処分の運命を辿る。墓石は硬くて一般の処分場での処理は不可能であり、処分場は遠方に限られて処分費が高額となる。又、お墓と言う特殊性が、砕石としての再利用の道を阻み、砂に返す方法しか残されていない。お墓は永代と言う概念ではあるが、少子化が進む現代社会には融合しない。一昔前は長男が親の家督を引き継ぐ事を条件に、親の老後を娶り、お墓を継承する事が常識であったが、遺産は公平に分配され、少子化となった現代社会では高いお墓を購入し、最終的には高額な処分費を負担してまで、お墓を求めると言う文化は薄れても不思議ではない。つまり、お墓を継承すると言う我が国本来の文化が失われつつあるのが現実である。又、墓石の原石も限りある資源の一つであり、取りつくされた石種も数多くある。今回の発明の基本となる考え方は、承継者の名義が変わる度に、墓石全体を造り直す無駄を排除する為に、竿石をパネル化して、表面パネルを造り代えるだけで、安価な費用で承継が可能になる構造を実現した事にある。その結果、最初に取得するお墓のコストダウンが実現し、遺骨の埋蔵数が増加する事になり、骨壺の埋蔵数に応じた墓地の選択が不要になり、しかも、外柵カロートの空間が広がる事により、ペットと一緒に埋葬する事が可能になる等その波及効果が多岐に及ぶ事になる。脱着可能な表面パネルに、新たな承継者の家名を彫刻する事により、継承者の費用負担が減少し、継承の道を広く開き、女子の嫁ぎ先の家名、お墓を持たない甥や姪だけに留まらず、血縁者以外の第３者にも、安価でお墓を所有する道を開き、お墓文化を取り戻し、資源の保護に寄与する事にも繋がる。家名の彫刻を脱着可能な表面パネルにする為には、竿石の内部を空洞にしてパネル化する必要があるが、空洞にすると横からの衝撃に対する強度が落ちる事になる。これを補う為に、空洞の中心部に棚板を設置する事が必要になり、棚板を設置すればその空間に骨壺を収蔵すると言う発想に繋がる。竿石内部の後部パネルの内側に、宗派別の仏像を彫刻する事により、上段に収蔵した一番新しい遺骨は仏様に抱かれた状態で、参拝者の目線に相対して供養をする事になり、宗教本来の故人を敬うと言う姿勢に回帰する。お釈迦様は、土、水、火、風、空の５つの要素がこの世を成すもの、と説かれ、お釈迦様の遺骨を納める建物が５層に造られ、それがお墓の原型である５輪の塔になり、現在のお墓の形になる。今回の発明は、空に当たる竿石、風に当たる上台、火に当たる中台が納骨堂にあたり、最上部には一番新しい遺骨が、仏様に抱かれた状態で埋蔵されると言う事になる。新しい骨壺を収蔵する度に、中台に収蔵される古い骨壺が風呂敷様の布に包まれ、やがて、土に当たる外柵カロートの中で、遺骨は土に還ると言う本来の形になる。土葬で埋蔵された遺骨が土に還る方法であるが、衛生面で法律で規制され、骨壺埋蔵になった訳であるが、今回発明した納骨堂式墓石の場合は、一つのお墓で骨壺収蔵から、土に還る一連の供養が可能になる。長子継承の縛りが無い民間の霊園では、家族の状況に応じた広さの墓地を提供する事が望まれる。将来の骨壺の数を予測しながら、適当な広さの墓地が求められたが、例えば���，８０ｍ２のお墓では、従来の骨壺埋蔵の場合は、３〜４体の埋蔵が限度であるが、納骨堂式墓地の場合は、２０体以上の埋蔵が可能であり、極端に言えば、夫婦墓から大家族墓まで対応が可能であり、供給する側と消費者側の双方にメリットが生じる事になる。又、近年のペット愛好者の増加に伴い、ペットの埋葬と言う新たな要望が増加して行く事は明白であるが、ペット専用霊園の開発は、人用の霊園と同様の規制がかかり、且つ、ペット専用のお墓は小さくて採算が合わない事もあり、需要に応える事が困難になるので、これの対策としても期待出来る。
【図面の簡単な説明】
【０００６】
【図１】  立体左正面図  発明した墓石を左斜め前から見た立体図
【図２】  立体右正面図  発明した墓石を右斜め前から見た立体図
【図３】  正面立体図  発明した墓石を真正面から見た立体図
【図４】  平面図  発明した墓石を真上から見た平面図
【図５】  左側立体図  発明した墓石を左側面から見た立体図
【図６】  裏側立体図  発明した墓石を裏側から見た立体図
【図７】  外柵  外柵カロートの構造。  −１階段  −２台石
−３−１左親柱
−２右親柱
−４−１腰石左  上部の荷重を支え建物で言う土台の役目を果たす。
−２腰石右                  〃
−３腰石奥                  〃
−５奥根石                      〃
−６納骨堂中根石  上部の荷重を支え且つカロートを人用カロートとペット用カロート                    に分離する役目を果たす。
−７−１納骨堂右中根石  上部の荷重を支え且つペット用カロートの壁の役目を果たす                          。
−８−１蓋石左  人用カロートの蓋で手前に引いて納骨を行う。納骨後は周囲をコーキ                  ングで雨水の浸透を防ぐ。
−２蓋石右  ペット用カロートの蓋で、役割は人用蓋と同じ。
−９−１、２芝台前、後  カロート上部の蓋。自重の関係で重量的に問題があり、２分                          割とした。中台の底部と接薬剤で固定し、耐震棒の受け穴を                          持つ。
【図８】  竿石、香箱、棚板、花立、水鉢、香炉  −１香箱  従来の香箱は竿石と一体であるがこれを脱着型とした。
−２香箱裏  切込受けを設け、耐震性を高める事を目的としてパネル３面の上部凸部と              固定した。
−３−１右側面パネル
−２左側面パネル
−４後部パネル
−５棚板  側面から受ける衝撃に対する強度の向上と、遺骨を受ける棚の役目を果たし            ２体の遺骨の収蔵を可能にした。
−６底板  裏面に接着剤を塗布して上台と固定し、耐震性を高め、且つ、遺骨の収蔵棚          としての役割を併せ持つ。
−７−１  右花立  独立タイプの右側に位置する花立
−２  左花立      〃      左側      〃
−８  水鉢  香炉と一体型の水鉢
−９  香炉  水鉢      〃
‐１０−１  切込  香箱裏面の切込受けに差込み、、竿石の強度を高める。
−２  切込                  〃
−３  切込                  〃
−４  切込                  〃
−１１  表面パネル  竿石カロートの蓋の役目を果たす。納骨の際これを取り外し、納                      骨後は４隅をコーキングで施工し、雨水を防ぐ。
−１２  竿石  ４面をパネル化する事により、軽量化する事になる。
耐震化を増し、コストダウンを実現し、収蔵出来る遺骨の数量を増やし                、墓石の小型化を実現した。
【図９】  上台  竿石の受け台で内部を空洞化してコストダウンを実現した。上部に蓋を設けて竿石の底部と接着剤で固定し、底板と中台の蓋を接客剤で固定して耐震化を図り、空洞化したスペースをカロートとし、上台カロートを実現した。  −１上部フタ  上台カロートの蓋の役割りを果たし、竿石低部と接着剤で固定し、耐震                化を図る、
−２−１  前方右柱  表面パネルの受けの役目。
−２  前方左柱          〃
−３−１  後方右柱
−２  後方左柱
−４−１  右側面パネル
−２  後部パネル
−３  左側面パネル
−５蓋石下台  表面パネルの受け台
−６底板  遺骨の受け台で、且つ、裏面と中台の蓋を接着剤で固定して耐震化を図る。
−７表面パネル  上台カロートの蓋、納骨時に取り外し、収蔵後は蓋をして４隅をコー                  キング施工を施し、雨水の浸透を防ぐ。再納骨時はコーキングを切り                  、総骨後は再コーキングを施工する。
−８−１前方右穴  耐震棒の挿入口
−２前方左穴  耐震棒の挿入口
−３後方右字        〃
−４後方左穴        〃
−９ホゾ  竿石の凸部を受け、耐震化を図る。
【図１０】  中台  竿石と上台の受け台、内部を空洞化してコストダウンを実現した。  −１上部フタ  中台カロートの蓋の役目を果たし、上台底部と接着剤で固定する事によ                り、耐震化を図る。
−２−１前方右柱  表面パネルの受け柱。
−２前方左柱        〃
−３−１後方右柱
−２後方左柱
−４−１右側面パネル
−２後部パネル
−３左側面パネル
−５蓋石下石  表面パネルの受け台
−６底板  遺骨の受け台として、且つ、裏面と芝台の表面を接着剤で固定し、耐震化を            図る。
−７表面パネル  中台カロートの蓋の役目を果たす。納骨時はこれを引出し、総骨後は                  ４隅にコーキングを施工し、雨水の浸透を防ぐ。再納骨時にはこれを                  切り、納骨後は再度のコーキングを施工する。
−８−１前方右穴  耐震棒の挿入口
−２前方左穴        〃
−３後方右穴        〃
−４後方左穴        〃
−９−１  前方右穴  上台からの耐震棒の受け止め穴。
−２  前方左穴            〃
−３  後方右穴            〃
−４  後方左穴            〃
【図１１】  耐震設計図  竿石、上台、中台を空洞化する事により、使用する石の数量は、約６５％前後軽減された。３：１１の震災時の墓石損壊の大部分は、ズレと倒壊であったが、その最大の原因が竿石の重量にあり、震災後に洋型タイプのお墓のニーズが急増した事が、これを証明する。今回の発明は、竿石と上台、上台と中台、中台と芝台の接地面の施工方法は従来と変わらない為、横揺れによるズレは、軽量化により殆ど解消される。軽量化される事により、上下動の揺れに対しては弱い様に感じるが、著しく進化した墓石専用の接着剤の効力によれば、軽量化の方がその効果が増大する。空洞化の弱点は、横からの衝撃であるが、竿石には香箱と底板、上台と中台にはフタ石と底板石があり、竿石の中心には棚板があり、４方からの衝撃に耐えうる事は可能と考える。竿石パネル上部凸部及び低部の凸部、上台と中台の耐震棒の受け部には接着剤を塗布するので、横揺れと縦揺れに対する効果が期待できるし、各箇所の軽量化により、その効果は増大する。各箇所のカロートの表面パネルの蓋は、従来の工法と同じであり、３：１１の大震災時にも蓋が倒壊したと言う事例はない。竿石、上台、中台に収蔵した遺骨は、横揺れの際に振動で破損する恐れがあるので、骨壺の接地面はミガキを叩いて、骨壺の横すべりを防ぐ構造とした。
【図１】
2017145673.tif 000003
【図２】
2017145673.tif 000004
【図３】
2017145673.tif 000005
【図４】
2017145673.tif 000006
【図５】
2017145673.tif 000007
【図６】
2017145673.tif 000008
【図７】
2017145673.tif 000009
【図８】
2017145673.tif 000010
【図９】
2017145673.tif 000011
【図１０】
2017145673.tif 000012
【図１１】
2017145673.tif 000013